(57)【要約】【課題】  非作動時における水道水の腐敗や消火管の腐蝕・劣化を確実に防止でき、しかも点検が容易に行えるようにする。【解決手段】  部屋の天井にスプリンクラーヘッドと感知器を設置し、消火管５を水道管６から分岐してスプリンクラーヘッドまで配管し、電動三方弁７・手動三方弁８・タイマー９・バッテリー１０等を収容した防災弁ユニット１１を室外に設置し、水抜き管１２，１３をユニット外へ配管する。防災弁ユニット１１は、感知器が部屋の熱又は煙を感知すると電動三方弁７の消火管５側の水抜き管１２側のポートを閉塞して上流及び下流ポートを一定時間連通し、平時は消火管５側の上流ポートを閉塞して消火管５側の下流ポートと水抜き管１２側のポートを連通する制御を備える。点検時は手動三方弁８の消火管５側の下流ポートを閉塞して消火管５側の上流ポートと水抜き管１３側のポートを連通する。【選択図】  図２
2009045417.tif 000002
【特許請求の範囲】
【請求項１】
部屋の天井に設置されるスプリンクラーヘッドと、水道管に接続され水道水をスプリンクラーヘッドへ給水する消火管と、消火管の途中位置に設けられる電動切替式の電動三方弁と、電動三方弁より下流の消火管途中に設けられ消火管側の上流及び下流ポートを常時連通させている手動切替式の手動三方弁と、電動三方弁及び手動三方弁それぞれの消火管と接続されるポートとは別のポートに接続される水抜き管と、部屋の熱又は煙を感知する感知器と、感知器が熱又は煙を感知すると電動三方弁の水抜き管側のポートを閉塞するとともに消火管側の上流及び下流ポートを一定時間連通し且つそれ以外は消火管側の上流ポートを閉塞するとともに消火管側の下流ポートと水抜き管側のポートを連通する制御手段とで構成された、スプリンクラー装置。
【請求項２】
制御手段が、電動三方弁の消火管側の上流及び下流ポートが連通する一定時間を１５〜２５分間に設定したタイマーを備えたものである、請求項１記載のスプリンクラー装置。
【請求項３】
制御手段が、停電時に制御手段及び電動三方弁に給電するバッテリーを備えたものである、請求項１又は２記載のスプリンクラー装置。
【請求項４】
制御手段が、感知器が熱又は煙を感知すると警報音を発音する警報ブザーを備えたものである、請求項１〜３いずれか記載のスプリンクラー装置。
【発明の詳細な説明】
【技術分野】
【０００１】
本発明は、戸建住宅・マンション・アパート・学校・グループホーム・介護施設・病院等に使用されるスプリンクラー装置に関する。
【背景技術】
【０００２】
従来のスプリンクラー装置としては、例えば特許文献１に開示されているものがある。この技術は、水道管の途中位置とスプリンクラーヘッドとを消火管で接続し、スプリンクラーヘッドの下流側に流量調整弁を介して水使用器具を取り付け、平時は水道水が流量調整弁を経由して水使用器具側へ給水され、火災時は流量調整弁を閉塞することでスプリンクラーヘッド側へ給水できるようにしたことを特徴とし、水道管内の水道水は絶えず入れ替わるから、水道水の腐敗や消火管の腐蝕・劣化を防止できるというものである。
【０００３】
しかしながら、前記の技術は、平時において水道水が消火管を通過する際、水道水の一部が消火管に流れ込み、スプリンクラー装置が作動するまで滞留した状態となるから、水道水の腐敗や消火管の腐蝕・劣化の対策が不十分であった。また、スプリンクラー装置の点検時はスプリンクラーヘッドから散水する水で部屋が水浸しにならないように対策する必要があった。
【特許文献１】特開２００５−２１１２８３号公報
【発明の開示】
【発明が解決しようとする課題】
【０００４】
本発明が解決しようとする課題は、従来のこれらの問題点を解消し、非作動時における水道水の腐敗や消火管の腐蝕・劣化を確実に防止でき、しかも点検が容易に行えるスプリンクラー装置を提供することにある。
【課題を解決するための手段】
【０００５】
かかる課題を解決した本発明の構成は、
１）  部屋の天井に設置されるスプリンクラーヘッドと、水道管に接続され水道水をスプリンクラーヘッドへ給水する消火管と、消火管の途中位置に設けられる電動切替式の電動三方弁と、電動三方弁より下流の消火管途中に設けられ消火管側の上流及び下流ポートを常時連通させている手動切替式の手動三方弁と、電動三方弁及び手動三方弁それぞれの消火管と接続されるポートとは別のポートに接続される水抜き管と、部屋の熱又は煙を感知する感知器と、感知器が熱又は煙を感知すると電動三方弁の水抜き管側のポートを閉塞するとともに消火管側の上流及び下流ポートを一定時間連通し且つそれ以外は消火管側の上流ポートを閉塞するとともに消火管側の下流ポートと水抜き管側のポートを連通する制御手段とで構成された、スプリンクラー装置
２）  制御手段が、電動三方弁の消火管側の上流及び下流ポートが連通する一定時間を１５〜２５分間に設定したタイマーを備えたものである、前記１）記載のスプリンクラー装置
３）  制御手段が、停電時に制御手段及び電動三方弁に給電するバッテリーを備えたものである、前記１）又は２）記載のスプリンクラー装置
４）  制御手段が、感知器が熱又は煙を感知すると警報音を発音する警報ブザーを備えたものである、前記１）〜３）いずれか記載のスプリンクラー装置
にある。
本発明でいう三方弁は、３つのポートを備えた構造のもの、又は３つ以上の複数のポートを備え、そのうち３つのポートを有効にした構造のもの、あるいは２つの弁を組み合わせ、それぞれの弁を相対的に開閉するように連動させた構造のものを包含する。
【発明の効果】
【０００６】
本発明によれば、感知器が部屋の熱又は煙を感知すると電動三方弁の水抜き管側のポートが閉塞されるとともに消火管側の上流及び下流ポートが連通され、水道管の水道水が電動三方弁と手動三方弁を経由してスプリンクラーヘッドまで充水し、部屋の温度が所定温度以上に上昇するとスプリンクラーヘッドがノズルを連通して散水される。
【０００７】
散水が１５〜２０分程の一定時間継続すると消火管側の上流ポートが閉塞されるとともに消火管側の下流ポートと水抜き管側のポートが連通され、水道管からの水道水は電動三方弁で遮水されるとともに、消火管内に残った水道水が電動三方弁と水抜き管を通じて水抜きされ、作動後の消火管内は空となる。このように、非作動時の消火管内は常時空となるから、非作動時における水道水の腐敗や消火管の腐蝕・劣化を確実に防止できる。
【０００８】
また、スプリンクラー装置の点検時は手動三方弁の消火管側の上流ポートと水抜き管側のポートを連通して消火管側の下流ポートを閉塞しておき、感知器に熱又は煙を感知させると電動三方弁の水抜き管側のポートが閉塞されるとともに消火管側の上流及び下流ポートが連通され、水道管の水道水が電動三方弁を通過するが、手動三方弁で水抜き管へ送水されて水抜きされ、スプリンクラーヘッドには給水されない。
【０００９】
水抜きが一定時間継続すると消火管側の上流ポートが閉塞されるとともに消火管側の下流ポートと水抜き管側のポートが連通され、水道管からの水道水は電動三方弁で遮水されるとともに、電動三方弁と手動三方弁との間の消火管内に残った水道水が水抜き管を通じて水抜きされ、手動三方弁からの水抜きも停止する。点検者は水抜きされた水道水と水抜きの停止を確認することで、機器が正しく作動していることを点検する。このように、実際にスプリンクラーヘッドから散水させることなく容易に点検できる。
【発明を実施するための最良の形態】
【００１０】
本発明では、制御手段のタイマーの設定時間は二次災害を考慮して１５〜２５分（消防車が火災現場に到着するまでに要する時間）に設定し、タイマーの作動後は火災の状況に係わらず自動的に散水を停止させる。制御手段に前記１５〜２５分間給電できるバッテリーを備えると、停電時でも制御手段及び電動三方弁に給電して作動させることができる。
【００１１】
一般住宅向けにおいては、既存住宅に自動火災報知設備が既に設置されている場合、これを感知器として使用することで、既存の火災受信基盤から火災信号を受けて本発明のスプリンクラー装置を起動させることができ、新たに設備を設ける必要がなく低コストで実施できる。また、木造住宅等で新設する場合は、本発明のスプリンクラー装置を採用することで、住宅用火災警報器を省略できる。本発明の実施例を図面に基づいて具体的に説明する。
【実施例１】
【００１２】
図１〜４に示す実施例は、二階建ての住宅に本発明のスプリンクラー装置を設置した例である。図１は実施例のスプリンクラー装置の説明図、図２は実施例の防災弁ユニット（制御手段）の説明図、図３，４は実施例のスプリンクラー装置の使用状態を示す説明図である。
【００１３】
図中、１はスプリンクラーヘッド、２は感知器、３は受信機、４は警報ブザー、５は消火管、６は水道管、７は電動三方弁、８は手動三方弁、９はタイマー、１０はバッテリー、１１は防災弁ユニット、１２，１３は水抜き管、Ｒは部屋、Ｗは水道水である。
【００１４】
本実施例のスプリンクラー装置は、図１，２に示すように部屋Ｒの天井にスプリンクラーヘッド１と感知器２を隣接して設置し、部屋Ｒの壁面に感知器２の感知を受信する受信機３と警報ブザー４を設置し、消火管５を水道管６から分岐して壁内と天井裏を通じてスプリンクラーヘッド１まで配管し、電動三方弁７・手動三方弁８・タイマー９・バッテリー１０等を収容した防災弁ユニット１１を室外に設置し、水抜き管１２，１３をユニット外へ配管している。
【００１５】
防災弁ユニット１１は、受信機３の受信を感知すると電動三方弁７の水抜き管１２側のポートを閉塞するとともに消火管５側の上流及び下流ポートをタイマー９で２０分間連通し、それ以外は消火管５側の上流ポートを閉塞するとともに消火管５側の下流ポートと水抜き管１２側のポートを連通する制御を備えている。
【００１６】
本実施例では、図３（ａ）に示すように平時は手動三方弁８のポートａ，ｂを連通してポートｃを閉塞し、水道水Ｗを電動三方弁７まで充水させておく。感知器２が部屋Ｒの熱又は煙を感知すると警報ブザー４が発音し、図３（ｂ）に示すように電動三方弁７のポートｃが閉塞されるとともにポートａ，ｂが連通されて水道水Ｗが電動三方弁７と手動三方弁８を経由してスプリンクラーヘッド１まで充水する。天井面の温度が７２℃以上に上昇してスプリンクラーヘッド１のノズルを閉塞している半田が溶解すると、ノズルが開放されて散水する。
【００１７】
散水が２０分間継続すると図３（ｃ）に示すように電動三方弁７のポートａが閉塞されるとともにポートｂ，ｃが連通され、水道管６からの水道水Ｗは電動三方弁７で遮水されるとともに、消火管５内に残った水道水Ｗが逆流して水抜き管１２で水抜きされ、作動後の消火管５内は空となる。
【００１８】
スプリンクラー装置の点検時では、図４（ａ）に示すように手動三方弁８のポートａ，ｃを連通してポートｂを閉塞しておく。感知器２に例えばライター等の熱を感知させると警報ブザー４が発音し、図４（ｂ）に示すように電動三方弁７のポートｃが閉塞されるとともにポートａ，ｂが連通される。水道水Ｗは電動三方弁７を通過するが、手動三方弁８で水抜き管１３へ送水されて水抜きされ、スプリンクラーヘッド１には給水されない。
【００１９】
水抜きが２０分間継続すると図４（ｃ）に示すように電動三方弁７のポートａが閉塞されるとともにポートｂ，ｃが連通され、水道管６からの水道水Ｗは電動三方弁７で遮水されるとともに、電動三方弁７と手動三方弁８との間の消火管５内に残った水道水Ｗが逆流して水抜き管１２で水抜きされ、水抜き管１３からの水抜きも停止する。点検者は水抜き管１３から水抜きされる水道水Ｗと２０分後の水抜きの停止を確認することで、機器が正しく作動していることを点検する。点検が終了すると手動三方弁８を平時の状態に戻しておく。
【産業上の利用可能性】
【００２０】
本発明の技術は、戸建住宅・マンション・アパート・学校・グループホーム・介護施設・病院等に有用である。
【図面の簡単な説明】
【００２１】
【図１】実施例のスプリンクラー装置の説明図である。
【図２】実施例の防災弁ユニットの説明図である。
【図３】実施例のスプリンクラー装置の使用状態を示す説明図である。
【図４】実施例のスプリンクラー装置の使用状態を示す説明図である。
【符号の説明】
【００２２】
１  スプリンクラーヘッド
２  感知器
３  受信機
４  警報ブザー
５  消火管
６  水道管
７  電動三方弁
８  手動三方弁
９  タイマー
１０  バッテリー
１１  防災弁ユニット
１２，１３  水抜き管
Ｒ  部屋
Ｗ  水道水
【図１】
2009045417.tif 000003
【図２】
2009045417.tif 000004
【図３】
2009045417.tif 000005
【図４】
2009045417.tif 000006